(57)【要約】【課題】設計要件を満たしつつ生産性を向上させること。【解決手段】開口２１及び収容室２２を成すケース周壁２３を有し、開口２１から収容室２２に挿入された保持体１１０を収容及び保持するケース２０と、ケース周壁２３における開口２１側の端部に対して全周に渡って嵌合されるカバー周壁３１を有し、その嵌合と共に開口２１を塞ぐカバー３０と、を備え、カバー周壁３１は、ケース周壁２３を外側から全周に渡って覆うカバー外周壁３１Ａと、ケース周壁２３に外側から全周に渡って覆われる可撓性を有するカバー内周壁３１Ｂと、を備え、カバー内周壁３１Ｂの平面部３１Ｂ１は、上記の嵌合によって、収容部品から押動されてケース周壁２３の平面部２３Ａ１に向けて撓み、遅くとも嵌合の完了時に平面部２３Ａ１の内壁面に当接し、ケース周壁２３の隅部２３ａは、カバー内周壁３１Ｂの隅部３１Ｂ２に外側から覆われる内壁２３Ｂを備えた二重壁構造とすること。【選択図】図５
2017034944.tif 000002
【特許請求の範囲】
【請求項１】
開口及び少なくとも１つの収容室を成すケース周壁を有し、前記開口から前記収容室に挿入された電子部品本体に関わる収容部品を収容及び保持するケースと、
前記ケース周壁における前記開口側の端部に対して全周に渡って嵌合されるカバー周壁を有し、前記端部への嵌合と共に前記開口を塞ぐカバーと、
を備え、
前記カバー周壁は、前記ケース周壁を外側から全周に渡って覆うカバー外周壁と、前記ケース周壁に外側から全周に渡って覆われる可撓性を有するカバー内周壁と、を備え、
前記カバー内周壁の平面部は、前記カバーを前記ケースに嵌合させることによって、前記収容室に収容された前記収容部品から押動されて前記ケース周壁の平面部に向けて撓み、遅くとも前記嵌合の完了時に前記ケース周壁における前記平面部の内壁面に当接し、
前記ケース周壁の隅部は、前記カバー内周壁の隅部に外側から覆われる内壁を備えた二重壁構造とすることを特徴とした電気接続箱。
【請求項２】
前記ケース周壁における前記平面部の前記内壁面からは、撓んだ前記カバー内周壁の前記平面部における自由端側の端面を覆い、かつ、該自由端側の端部に当接させる突出部を突出させることを特徴とした請求項１に記載の電気接続箱。
【請求項３】
前記収容部品は、前記嵌合時に前記カバー内周壁の前記平面部を押動する押動部を備えることを特徴とした請求項１又は２に記載の電気接続箱。
【請求項４】
前記収容室の壁面の一部を成す隔壁が前記ケースの内部に設けられている場合、前記隔壁は、前記ケース周壁における前記平面部の前記内壁面との間に間隔を形成する端面であり、前記嵌合時に前記間隔に挿入されてきた前記カバー内周壁の前記平面部を前記収容部品と一緒になって押動し、前記ケース周壁における前記平面部の前記内壁面に当接させる押動端面を有することを特徴とした請求項１，２又は３に記載の電気接続箱。
【請求項５】
開口及び少なくとも１つの収容室を成すケース周壁を有し、前記開口から前記収容室に挿入された電子部品本体に関わる収容部品を収容及び保持するケース、及び、前記ケース周壁における前記開口側の端部に対して全周に渡って嵌合されるカバー周壁を有し、前記端部への嵌合と共に前記開口を塞ぐカバーを備えた電気接続箱と、
前記電子部品本体に対して電気的に接続され、前記電気接続箱の内部から外部に引き出された電線と、
を有し、
前記カバー周壁は、前記ケース周壁を外側から全周に渡って覆うカバー外周壁と、前記ケース周壁に外側から全周に渡って覆われる可撓性を有するカバー内周壁と、を備え、
前記カバー内周壁の平面部は、前記カバーを前記ケースに嵌合させることによって、前記収容室に収容された前記収容部品から押動されて前記ケース周壁の平面部に向けて撓み、遅くとも前記嵌合の完了時に前記ケース周壁における前記平面部の内壁面に当接し、
前記ケース周壁の隅部は、前記カバー内周壁の隅部に外側から覆われる内壁を備えた二重壁構造とすることを特徴としたワイヤハーネス。
【発明の詳細な説明】
【技術分野】
【０００１】
本発明は、電気接続箱及びワイヤハーネスに関する。
【背景技術】
【０００２】
従来、電子部品が内部の空間に収容され、その電子部品に接続された電線が外部に引き出されている電気接続箱が知られている。更に、その電気接続箱を有するワイヤハーネスが知られている。電気接続箱やワイヤハーネスは、例えば、車両に搭載され、車両の電源と負荷との間に介在させる。例えば、下記の特許文献１及び２には、このような電気接続箱について開示されている。特許文献１及び２には、カバーの周縁に沿って配置されている弾性可撓壁を本体ケースの周縁に沿って配置されている空間に全周に渡って挿入し、その弾性可撓壁の先端を本体ケースの周縁の端面に当接させて撓ませることによって、防水性を確保せんとする技術が開示されている。また、特許文献１には、その弾性可撓壁の不都合（弾性可撓壁がカバーの側面を成す周壁よりも短いがために起こり得るカバーと本体ケースの嵌合作業性の低下）を解消するための技術も開示されている。その技術とは、カバーと本体ケースのそれぞれの周壁を外壁と内壁とから成る二重壁とし、カバーの内壁を本体ケースの外壁と内壁との間に挿入し、その本体ケースの外壁における内壁側の壁面から斜め下方に突出させている弾性片をカバーの内壁の壁面に当接させて撓ませることによって、防水性を確保せんとするものである。尚、下記の非特許文献１には、本体ケース（フレーム）の外周壁面に斜め下方に向けて突出させた弾性可撓壁を設け、本体ケースにカバーを嵌合させた際にカバーの内周壁面で弾性可撓壁を撓ませ、弾性可撓壁からカバーの内周壁面に向けたバネ力を発生させることによって、防水性を確保せんとする技術が開示されている。
【先行技術文献】
【特許文献】
【０００３】
【特許文献１】特開２０００−３１６２１９号公報
【特許文献２】実公平３−１６３０４号公報
【非特許文献】
【０００４】
【非特許文献１】発明協会公開技報公技番号２００８−５０５３９５号
【発明の概要】
【発明が解決しようとする課題】
【０００５】
ところで、防水性を確保するべくカバーと本体ケースのそれぞれの周壁を全周に渡って二重壁とする場合には、電気接続箱の体格の大型化を抑えたり、内部容積を確保したりするために、外壁と内壁との間を狭めることになる。その際、カバーは、二重壁部分の深さ（嵌合方向の深さ）が浅いので、外壁と内壁との間を狭めたとしても、金型による加工性に然程影響を与えない。しかしながら、本体ケースにおいては、電子部品に水がかからないように内壁を深さ方向に延在させており、二重壁部分の深さがカバーよりも深くなるので、外壁と内壁との間を狭めることで、金型による加工が難しくなり、生産性の低下を招いてしまう虞がある。従って、従来の電気接続箱は、防水性を確保できたとしても、内部容積を確保するために、電気接続箱の体格を大型化しなければならない可能性がある。
【０００６】
そこで、本発明は、防水性、体格や内部容積という電気接続箱の設計要件を満たしつつ生産性を向上させることのできる電気接続箱及びワイヤハーネスを提供することを、その目的とする。
【課題を解決するための手段】
【０００７】
上記目的を達成する為、本発明に係る電気接続箱は、開口及び少なくとも１つの収容室を成すケース周壁を有し、前記開口から前記収容室に挿入された電子部品本体に関わる収容部品を収容及び保持するケースと、前記ケース周壁における前記開口側の端部に対して全周に渡って嵌合されるカバー周壁を有し、前記端部への嵌合と共に前記開口を塞ぐカバーと、を備え、前記カバー周壁は、前記ケース周壁を外側から全周に渡って覆うカバー外周壁と、前記ケース周壁に外側から全周に渡って覆われる可撓性を有するカバー内周壁と、を備え、前記カバー内周壁の平面部は、前記カバーを前記ケースに嵌合させることによって、前記収容室に収容された前記収容部品から押動されて前記ケース周壁の平面部に向けて撓み、遅くとも前記嵌合の完了時に前記ケース周壁における前記平面部の内壁面に当接し、前記ケース周壁の隅部は、前記カバー内周壁の隅部に外側から覆われる内壁を備えた二重壁構造とすることを特徴としている。
【０００８】
ここで、前記ケース周壁における前記平面部の前記内壁面からは、撓んだ前記カバー内周壁の前記平面部における自由端側の端面を覆い、かつ、該自由端側の端部に当接させる突出部を突出させることが望ましい。
【０００９】
また、前記収容部品は、前記嵌合時に前記カバー内周壁の前記平面部を押動する押動部を備えることが望ましい。
【００１０】
また、前記収容室の壁面の一部を成す隔壁が前記ケースの内部に設けられている場合、前記隔壁は、前記ケース周壁における前記平面部の前記内壁面との間に間隔を形成する端面であり、前記嵌合時に前記間隔に挿入されてきた前記カバー内周壁の前記平面部を前記収容部品と一緒になって押動し、前記ケース周壁における前記平面部の前記内壁面に当接させる押動端面を有することが望ましい。
【００１１】
また、上記目的を達成する為、本発明に係るワイヤハーネスは、開口及び少なくとも１つの収容室を成すケース周壁を有し、前記開口から前記収容室に挿入された電子部品本体に関わる収容部品を収容及び保持するケース、及び、前記ケース周壁における前記開口側の端部に対して全周に渡って嵌合されるカバー周壁を有し、前記端部への嵌合と共に前記開口を塞ぐカバーを備えた電気接続箱と、前記電子部品本体に対して電気的に接続され、前記電気接続箱の内部から外部に引き出された電線と、を有し、前記カバー周壁は、前記ケース周壁を外側から全周に渡って覆うカバー外周壁と、前記ケース周壁に外側から全周に渡って覆われる可撓性を有するカバー内周壁と、を備え、前記カバー内周壁の平面部は、前記カバーを前記ケースに嵌合させることによって、前記収容室に収容された前記収容部品から押動されて前記ケース周壁の平面部に向けて撓み、遅くとも前記嵌合の完了時に前記ケース周壁における前記平面部の内壁面に当接し、前記ケース周壁の隅部は、前記カバー内周壁の隅部に外側から覆われる内壁を備えた二重壁構造とすることを特徴としている。
【発明の効果】
【００１２】
本発明に係る電気接続箱及びワイヤハーネスにおいては、カバー周壁が全周に渡って二重壁構造を有すると共に、ケース周壁が隅部のみを二重壁構造とし且つ平面部を一重壁構造としている。そして、カバー周壁におけるカバー内周壁は、ケース周壁における一重壁構造に対応する部分が可撓性を有しており、収容部品に押動されて撓み、ケース周壁における平面部の内壁面に押し付けられる。このため、この電気接続箱及びワイヤハーネスにおいては、ケースとカバーとの間の防水性を確保することができる。また、ケース周壁は、全周に渡って二重壁構造となっているものと比較して、二重壁部分の間隔を狭めたとしても、金型による加工を行い易い。よって、この電気接続箱の防水構造は、防水性を確保しながらも、電気接続箱の体格の大型化を抑えつつ、内部容積を確保することができる。従って、本発明に係る電気接続箱及びワイヤハーネスは、防水性、体格や内部容積という電気接続箱の設計要件を満たしつつ生産性を向上させることができる。
【図面の簡単な説明】
【００１３】
【図１】図１は、実施形態の電気接続箱及びワイヤハーネスを示す分解斜視図である。
【図２】図２は、カバーを内側から見た斜視図である。
【図３】図３は、ケースを開口側から見た上面図である。
【図４】図４は、図３のＸ−Ｘ線で切った断面図であり、カバーがケースに取り付けられる前の状態を示したものである。
【図５】図５は、図３のＸ−Ｘ線で切った断面図であり、カバーがケースに取り付けられた後の状態を示したものである。
【図６】図６は、図３のＹ−Ｙ線で切った断面図であり、カバーがケースに取り付けられた後の状態を示したものである。
【図７】図７は、図３のＺ−Ｚ線で切った断面図であり、カバーがケースに取り付けられた後の状態を示したものである。
【発明を実施するための形態】
【００１４】
以下に、本発明に係る電気接続箱及びワイヤハーネスの実施形態を図面に基づいて詳細に説明する。尚、この実施形態によりこの発明が限定されるものではない。
【００１５】
［実施形態］
本発明に係る電気接続箱及びワイヤハーネスの実施形態の１つを図１から図７に基づいて説明する。
【００１６】
図１の符号１は、本実施形態の電気接続箱を示す。また、図１の符号ＷＨは、その電気接続箱１を備えたワイヤハーネスを示す。
【００１７】
本実施形態の電気接続箱１とは、電源（図示略）や負荷（図示略）、センサ（図示略）等の接続対象物に対して電気的に接続される少なくとも１つの電子部品１００を内部に収容したものである。その電子部品１００とは、例えば、リレー、ヒューズ等の回路保護部品、コネクタなどのことである。また、本実施形態では、電子制御ユニット（いわゆるＥＣＵ）等の電子機器についても、電気接続箱１に収容される電子部品１００とする。電子部品１００は、筐体１０１の内部に電子部品本体１０２が収容されたものであり、電子部品本体１０２に対して電気的に接続されている端子金具（図示略）を筐体１０１から外部に露出させている。収容されている電子部品１００の端子金具には、該当する電線（電力供給線や信号線等）１５０が電気的に接続されている。電気接続箱１においては、その電線１５０が内部から外部に引き出されている。この電気接続箱１は、その電線１５０等と共にワイヤハーネスＷＨを成す。ワイヤハーネスＷＨは、例えば、車両に配設され、電源（二次電池）側や負荷としての電気機器（アクチュエータ等）側などに電線１５０を介して繋がれる。
【００１８】
電気接続箱１は、電子部品本体１０２に関わる収容部品が少なくとも１つ収容される筐体１０を備える。電子部品本体１０２に関わる収容部品とは、電子部品１００そのものや電子部品１００が保持される絶縁性材料から成る保持体１１０（例えばブロック）等のことである。筐体１０は、合成樹脂等の絶縁性材料で成形されている。本実施形態の筐体１０は、ケース２０とカバー３０とに大別される。尚、以下においては、筐体１０の内側を基準にして内外を定める。
【００１９】
ケース２０は、開口２１及び少なくとも１つの収容室２２を成す枠体状の周壁（以下、「ケース周壁」という。）２３を有するものである。このケース２０は、その開口２１から収容室２２に挿入された収容部品（この例示では保持体１１０）を収容及び保持する。収容室２２と収容部品との間には、収容部品を収容室２２に保持させるための保持機構（図示略）が設けられている。収容室２２においては、保持体１１０を介して、電子部品１００の端子金具が電線１５０の端部の端子金具と電気的に接続されている。ここでは、４つの収容室２２を設けたケース２０について例示している。
【００２０】
ここで、本実施形態のケース２０は、フレーム２０Ａと閉塞部材２０Ｂとで構成されており、これらを互いに嵌合させることで一体化される。フレーム２０Ａは、ケース周壁２３を成す部材であり、両端を開口させた枠体状に成形されている。このフレーム２０Ａにおいては、その２つの開口の内の一方が上記の開口２１となり、その２つの開口に囲まれた内部空間に収容室２２が形成される。閉塞部材２０Ｂは、そのフレーム２０Ａの他方の開口を塞ぐ部材である。この閉塞部材２０Ｂには、例えば、内部の電線１５０を外部に引き出すための貫通孔（図示略）等が形成されている。
【００２１】
カバー３０は、ケース２０の開口２１を塞ぐ部材である。このカバー３０は、ケース周壁２３における開口２１側の端部に対して全周に渡って嵌合される枠体状の周壁（以下、「カバー周壁」という。）３１を有する。カバー３０は、その開口２１側の端部への嵌合と共に開口２１を塞ぐ形状に成形されている。
【００２２】
ところで、開口２１から水が収容室２２に浸入した場合には、その水が電子部品１００と電線１５０との電気的な接続部分に伝わってしまう可能性がある。この電気接続箱１においては、そのような水の浸入の可能性も鑑みた上で、開口２１を塞ぐカバー３０を設けている。しかしながら、ケース２０とカバー３０との間に隙間がある場合には、その隙間から水が浸入して、収容室２２側に伝わってしまう虞がある。そこで、本実施形態の電気接続箱１においては、ケース２０とカバー３０との間に防水構造を設けている。その防水構造について以下に説明する。
【００２３】
防水構造は、ケース周壁２３とカバー周壁３１と収容部品（この例示では保持体１１０）とによって構成する。
【００２４】
ケース周壁２３は、具体的に、矩形の枠体状の主壁２３Ａと、隅部（折り曲げ部分を中心とする部分であって、この例示における四隅）２３ａに設けた内壁２３Ｂと、を備える。主壁２３Ａは、複数（この例示では４つ）の平板状の平面部２３Ａ１と、別角度に配置された隣り合う２つの平面部２３Ａ１を繋ぐ複数の隅部（折り曲げ部分を中心とする部分であって、この例示における四隅）２３Ａ２と、を有している。内壁２３Ｂは、主壁２３Ａの隅部２３Ａ２の内壁面に対向させ且つ間隔を空けて配置する。この内壁２３Ｂは、その主壁２３Ａの隅部２３Ａ２の形状に沿って折り曲げられている。つまり、ケース周壁２３は、主壁２３Ａの平面部２３Ａ１から成る一重壁構造と、主壁２３Ａの隅部２３Ａ２及び内壁２３Ｂから成る隅部２３ａの二重壁構造と、が併存しているものとして形成されている。後述するように、主壁２３Ａの隅部２３Ａ２と内壁２３Ｂとの間には、カバー周壁３１（具体的にはカバー内周壁３１Ｂ）が挿入される。
【００２５】
カバー周壁３１は、具体的に、ケース周壁２３の主壁２３Ａを外側から全周に渡って覆うカバー外周壁３１Ａと、ケース周壁２３の主壁２３Ａに外側から全周に渡って覆われる可撓性を有するカバー内周壁３１Ｂと、を備える（図１及び図２）。カバー外周壁３１Ａとカバー内周壁３１Ｂは、互いに対向させ且つ間隔を空けて配置されている。つまり、カバー周壁３１は、二重壁構造になっている。この例示では、カバー内周壁３１Ｂをカバー外周壁３１Ａよりも突出させている。
【００２６】
カバー外周壁３１Ａは、ケース周壁２３の主壁２３Ａにおける各平面部２３Ａ１の外壁面に各々対向する複数（この例示では４つ）の平板状の平面部３１Ａ１と、その主壁２３Ａにおける各隅部２３Ａ２の外壁面に各々対向し、別角度に配置された隣り合う２つの平面部３１Ａ１を繋ぐ複数の隅部（折り曲げ部分を中心とする部分であって、この例示における四隅）３１Ａ２と、を有している。カバー内周壁３１Ｂは、ケース周壁２３の主壁２３Ａにおける各平面部２３Ａ１の内壁面に各々対向する複数の平板状の平面部３１Ｂ１と、その主壁２３Ａにおける各隅部２３Ａ２の内壁面に各々対向し、別角度に配置された隣り合う２つの平面部３１Ｂ１を繋ぐ複数の隅部（折り曲げ部分を中心とする部分であって、この例示における四隅）３１Ｂ２と、を有している。その隅部３１Ｂ２については、ケース周壁２３の内壁２３Ｂの外壁面とも対向している。換言するならば、その内壁２３Ｂは、カバー内周壁３１Ｂの隅部３１Ｂ２に外側から覆われている。つまり、カバー内周壁３１Ｂの隅部３１Ｂ２は、ケース周壁２３の隅部２３ａにおける主壁２３Ａと内壁２３Ｂとの間の隙間に挿入される。
【００２７】
ここで、収容部品（この例示では保持体１１０）は、カバー３０のケース２０への嵌合時にカバー内周壁３１Ｂの平面部３１Ｂ１を押動する押動部１２０を備えている（図１及び図３）。その押動部１２０は、平面部３１Ｂ１に対して全体的に押圧力を加えるものであってもよく、平面部３１Ｂ１に対して部分的に押圧力を加えるものであってもよい。この押動部１２０は、電子部品１００の筐体１０１や保持体１１０から突出させる。この例示の保持体１１０には、ケース周壁２３の主壁２３Ａの平面部２３Ａ１に向けて突出させ、かつ、収容部品の挿入方向に沿って延在させた複数本のリブ状の押動部１２０を設けている。
【００２８】
収容室２２に収容されている収容部品において、押動部１２０は、カバー３０をケース２０に取り付ける際のカバー内周壁３１Ｂの移動軌跡上に配置されている（図４及び図５）。このため、この押動部１２０には、カバー３０がケース２０に近づくに連れて、カバー内周壁３１Ｂの平面部３１Ｂ１における自由端側の端面３１Ｂ３が接触する。従って、押動部１２０の開口２１側には、開口２１側に向かうに連れてケース周壁２３の主壁２３Ａの平面部２３Ａ１から離れていく傾斜面１２１を設けている。その傾斜面１２１は、カバー内周壁３１Ｂの平面部３１Ｂ１における端面３１Ｂ３が接触した際に、この平面部３１Ｂ１を主壁２３Ａの平面部２３Ａ１側に案内しながら図５に示すように撓ませていく部位である。その傾斜面１２１を含む押動部１２０は、そのようなカバー内周壁３１Ｂの平面部３１Ｂ１の案内が可能であると共に、遅くともカバー３０のケース２０への嵌合が完了したときに、平面部３１Ｂ１を図５に示すように主壁２３Ａの平面部２３Ａ１の内壁面に当接させることのできる形状に形成する。よって、カバー内周壁３１Ｂの平面部３１Ｂ１は、カバー３０をケース２０に嵌合させることによって、収容室２２に収容された収容部品の押動部１２０から押動されてケース周壁２３の主壁２３Ａの平面部２３Ａ１に向けて撓み、遅くとも嵌合の完了時にケース周壁２３における主壁２３Ａの平面部２３Ａ１の内壁面に当接し、この内壁面に対して押圧力を加える。これにより、水が筐体１０の外側からケース２０とカバー３０との間の隙間に浸入し、この隙間を介して更に浸入してきたとしても、その水は、ケース周壁２３の主壁２３Ａの平面部２３Ａ１とカバー内周壁３１Ｂの平面部３１Ｂ１とに囲まれた空間で留まるので、収容室２２への浸入が抑えられる。尚、図４及び図５並びに後述する図６及び図７は図３の断面図であるが、図３においては、便宜上、カバー３０の図示を省略している。
【００２９】
更に、この防水構造においては、そのカバー内周壁３１Ｂの平面部３１Ｂ１が当接する主壁２３Ａの平面部２３Ａ１から、その撓んだ平面部３１Ｂ１における自由端側の端面３１Ｂ３を覆う突出部２４を突出させている。その突出部２４は、平面部３１Ｂ１における自由端側の端部に当接させる。この電気接続箱１においては、その突出部２４によって、ケース周壁２３の主壁２３Ａの平面部２３Ａ１とカバー内周壁３１Ｂの平面部３１Ｂ１とに囲まれた空間からの水の漏れを抑えることができる。
【００３０】
ここで、収容室２２が複数設けられている場合には、ケース２０の内部（具体的にはフレーム２０Ａの内側）に、収容室２２の壁面の一部を成す隔壁２５が設けられる（図１等）。そして、その隔壁２５の中には、ケース周壁２３の主壁２３Ａにおける平面部２３Ａ１の内壁面から立設させられているものがある。このような隔壁２５は、カバー内周壁３１Ｂの平面部３１Ｂ１を収容室２２毎に分断させてしまう可能性がある。そこで、このような隔壁２５は、次のような端面（以下、「押動端面」という。）２５ａを有するものとして形成する（図６）。その押動端面２５ａとは、平面部２３Ａ１の内壁面との間に間隔を形成する端面であり、ケース２０とカバー３０の嵌合時に当該間隔に挿入されてきたカバー内周壁３１Ｂの平面部３１Ｂ１を収容部品（この例示では保持体１１０）と一緒になって押動し、平面部２３Ａ１の内壁面に当接させるものである。この電気接続箱１においては、その押動端面２５ａによって、カバー内周壁３１Ｂの平面部３１Ｂ１を分断させずともよく、そして、押動部１２０と同じようにカバー内周壁３１Ｂの平面部３１Ｂ１を平面部２３Ａ１の内壁面に当接させることができるので、防水性の更なる向上を図ることができる。
【００３１】
この電気接続箱１においては、ケース周壁２３の主壁２３Ａの平面部２３Ａ１とカバー内周壁３１Ｂの平面部３１Ｂ１とに囲まれた空間の水を、ケース周壁２３の隅部２３ａにおける二重壁構造を利用して排出する。その二重壁構造は、前述したように、ケース周壁２３の主壁２３Ａと内壁２３Ｂとによって構成されている。そして、カバー内周壁３１Ｂの隅部３１Ｂ２は、前述したように、その主壁２３Ａと内壁２３Ｂとの間の隙間に挿入される（図７）。ここで、主壁２３Ａの平面部２３Ａ１における隅部２３Ａ２側の端部には、突出部２４から更に同一方向で且つ内壁２３Ｂに向けて突出させた連結部２６を設けている。内壁２３Ｂは、その連結部２６を介して突出部２４に保持される。この例示では、その連結部２６が連なっている突出部２４における部位が、突出部２４の端部となる。
【００３２】
その連結部２６は、カバー内周壁３１Ｂの平面部３１Ｂ１における自由端側の端面３１Ｂ３に対向するものである。このため、カバー内周壁３１Ｂは、連結部２６が連なっている突出部２４の端部に対向している部分から押動部１２０による撓み量を徐々に減少させ、少なくとも連結部２６よりも隅部２３Ａ２側で平面部２３Ａ１の内壁面に対する当接が行われないように形成する。これにより、ケース周壁２３の主壁２３Ａの平面部２３Ａ１とカバー内周壁３１Ｂの平面部３１Ｂ１とに囲まれた空間の水は、ケース周壁２３の隅部２３ａにおける主壁２３Ａとカバー内周壁３１Ｂとの間の隙間から排出される。主壁２３Ａと撓み前のカバー内周壁３１Ｂとの間は、そのような水の排出が円滑になる間隔に設定する。更に、この例示では、その排出された水を閉塞部材２０Ｂ側へと導くように、内壁２３Ｂを連結部２６よりも閉塞部材２０Ｂ側に延在させている。例えば、この電気接続箱１においては、その内壁２３Ｂを収容部品（この例示では保持体１１０）よりも閉塞部材２０Ｂ側まで延在させることで、排出された水が収容部品にかからなくなるので、更なる防水性の向上が可能になる。
【００３３】
以上示したように、本実施形態の電気接続箱１及びワイヤハーネスＷＨにおいては、ケース２０とカバー３０との間の防水性を確保することができる。そして、この電気接続箱１及びワイヤハーネスＷＨにおいては、その防水性を確保するべく、カバー周壁３１を全周に渡って二重壁構造としているが、ケース周壁２３が隅部２３ａのみの二重壁構造となっている。先に説明したように、カバー３０の二重壁構造は、カバー３０の金型による加工性に然程影響を与えない。このため、カバー３０は、カバー外周壁３１Ａとカバー内周壁３１Ｂとの間隔を狭めることができるので、電気接続箱１の体格の大型化の抑制や内部容積の確保に寄与することができる。また、ケース周壁２３は、隅部２３ａのみが二重壁構造になっており、残りの大部分が一重壁構造になっているので、全周に渡って二重壁構造となっているものと比較して、主壁２３Ａと内壁２３Ｂとの間隔を狭めたとしても、金型による加工を行い易い。よって、この電気接続箱１の防水構造は、防水性を確保しながらも、電気接続箱１の体格の大型化を抑えつつ、内部容積を確保することができる。従って、本実施形態の電気接続箱１及びワイヤハーネスＷＨは、防水性、体格や内部容積という電気接続箱１の設計要件を満たしつつ生産性を向上させることができる。
【符号の説明】
【００３４】
１  電気接続箱
２０  ケース
２０Ａ  フレーム
２０Ｂ  閉塞部材
２１  開口
２２  収容室
２３  ケース周壁
２３Ａ  主壁
２３Ａ１  平面部
２３Ａ２  隅部
２３Ｂ  内壁
２３ａ  隅部
２４  突出部
２５  隔壁
２５ａ  押動端面
３０  カバー
３１  カバー周壁
３１Ａ  カバー外周壁
３１Ａ１  平面部
３１Ａ２  隅部
３１Ｂ  カバー内周壁
３１Ｂ１  平面部
３１Ｂ２  隅部
３１Ｂ３  端面
１００  電子部品
１０２  電子部品本体
１１０  保持体
１２０  押動部
１２１  傾斜面
１５０  電線
【図１】
2017034944.tif 000003
【図２】
2017034944.tif 000004
【図３】
2017034944.tif 000005
【図４】
2017034944.tif 000006
【図５】
2017034944.tif 000007
【図６】
2017034944.tif 000008
【図７】
2017034944.tif 000009